(57)【要約】 【課題】ＢＤから再生されるＲＦ信号のＳ／Ｎを悪化させることなく、球面収差の大きさを検出すること。【解決手段】ＢＤを記録再生する際に発生する球面収差を検出するためのフォトダイオードを、ＣＤ／ＤＶＤを記録再生する際に用いるフォトダイオードＩＣ３６で行うようにすることにより、ＢＤを記録再生する際に用いるフォトダイオードＩＣ２７側で球面収差の検出を行なわないようにしてフォトダイオードの数及び受光領域の総数が増加することを防止し、これによりフォトダイオードＩＣ２７により得られるＲＦ信号のＳ／Ｎ（受光領域の数に比例してＳ／Ｎが悪化する傾向にある）が悪化することを防止して良好なＳ／ＮのＲＦ信号を得ることができる。【選択図】図１
2005339636.tif 000002
【特許請求の範囲】
【請求項１】
第１のディスク用のレーザ光源から出射されたレーザ光を第１のディスクに集光し、この第１のディスクからの反射光を受光して受光素子に導く第１のディスク用光学系と、第２又は第３のディスク用のレーザ光源から出射されたレーザ光を第２又は第３のディスクに集光し、この第２又は第３のディスクからの反射光を受光して受光素子に導く第２又は第３のディスク兼用光学系とを収納した光ピックアップであって、
前記第１のディスク用光学系に配置されて球面収差を補正する球面収差補正光学素子と、  前記第２又は第３のディスクからの反射光を前記第２又は第３のディスク兼用光学系を通して受光する受光素子と兼用で設けられ、前記球面収差を検出するための検出用受光素子と、
前記第１のディスク用のレーザ光源から出射されたレーザ光の一部を分岐して前記第２又は第３のディスク兼用光学系を通して前記検出用受光素子に導く光分岐光学手段と、
を具備することを特徴とする光ピックアップ。
【請求項２】
前記第１のディスク用光学系と第２又は第３のディスク兼用光学系の一部は共用であることを特徴とする請求項１記載の光ピックアップ。
【請求項３】
第１のディスク用のレーザ光源から出射されたレーザ光を第１のディスクに集光し、この第１のディスクからの反射光を受光して受光素子に導く第１のディスク用光学系と、第２のディスク用のレーザ光源から出射されたレーザ光を第２のディスクに集光し、この第２のディスクからの反射光を受光して受光素子に導く第２のディスク用光学系とを収納した光ピックアップであって、
前記第１のディスク用光学系に配置されて球面収差を補正する球面収差補正光学素子と、  前記第２のディスクからの反射光を受光する受光素子と兼用で設けられ、前記球面収差を検出するための検出用受光素子と、
前記第１のディスク用のレーザ光源から出射されたレーザ光の一部を分岐して前記第２のディスク用光学系を通して前記検出用受光素子に導く光分岐光学手段と、
を具備することを特徴とする光ピックアップ。
【請求項４】
第１のディスク用のレーザ光源から出射されたレーザ光を第１のディスクに集光し、この第１のディスクからの反射光を受光して受光素子に導く第１のディスク用光学系と、第３のディスク用のレーザ光源から出射されたレーザ光を第３のディスクに集光し、この第３のディスクからの反射光を受光して受光素子に導く第３のディスク用光学系とを収納した光ピックアップであって、
前記第１のディスク用光学系に配置されて第１のディスクの主にカバーガラスに起因して発生する球面収差を補正する球面収差補正光学素子と、
前記第３のディスクからの反射光を受光する受光素子と兼用で設けられ、前記球面収差を検出するための検出用受光素子と、
前記第１のディスク用のレーザ光源から出射されたレーザ光の一部を分岐して前記第３のディスク用光学系を通して前記検出用受光素子に導く光分岐光学手段と、
を具備することを特徴とする光ピックアップ。
【請求項５】
前記検出用受光素子から得られた光電変換信号に基づいて前記球面収差補正光学素子を制御して前記球面収差を略ゼロにする球面収差制御手段を具備することを特徴とする請求項１、２、３、４に記載の光ピックアップ。
【請求項６】
前記第１のディスクはＢＤで、前記第２のディスクはＤＶＤで，前記第３のディスクはＣＤであることを特徴とする請求項１、２、３、４に記載の光ピックアップ。
【請求項７】
光ピックアップよりレーザ光を光記録媒体に集光すると共に、その光記録媒体からの反射光を前記光ピックアップにより受光してデータを記録再生する光ディスク装置であって、  前記光ピックアップは、第１のディスク用のレーザ光源から出射されたレーザ光を第１のディスクに集光し、この第１のディスクからの反射光を受光して受光素子に導く第１のディスク用光学系と、第２又は第３のディスク用のレーザ光源から出射されたレーザ光を第２又は第３のディスクに集光し、この第２又は第３のディスクからの反射光を受光して受光素子に導く第２又は第３のディスク兼用光学系と、前記第１のディスク用光学系に配置されて球面収差を補正する球面収差補正光学素子と、前記第２又は第３のディスクからの反射光を受光する受光素子と兼用で設けられ、前記球面収差を検出するための検出用受光素子と、前記第１のディスク用のレーザ光源から出射されたレーザ光の一部を分岐して前記第２又は第３のディスク兼用光学系を通して前記検出用受光素子に導く光分岐光学手段とを具備することを特徴とする光ディスク装置。
【請求項８】
前記検出用受光素子から得られた光電変換信号に基づいて前記球面収差補正光学素子を制御して前記球面収差をゼロにする球面収差制御手段を具備することを特徴とする請求項７に記載の光ディスク装置。
【発明の詳細な説明】
【技術分野】
【０００１】
本発明は、光ディスクを記録再生する際に主に光ディスクのカバーガラスにより発生する球面収差を補正する機能を有する光ピックアップ及びこの光ピックアップを用いた光ディスク装置に関する。
【背景技術】
【０００２】
近年、映像情報や音楽情報を記録再生するＣＤやＤＶＤディスクが普及しているが、さらなる記録密度の向上及び大容量化の要求に応えるため、青色波長域の波長４０７ｎｍのレーザ光を用いるブルーレイディスク（以降、ＢＤと称する）が登場してきた。
【０００３】
図５は上記のような各種ディスク型の記録メディア（以降、光記録媒体又はディスクと称する）にレーザ光を集光し、それによる反射光を受光する光ピックアップの一部を示した概略図である。図示されないレーザ光源から出射されたレーザ光はコリメータレンズ１により平行光になり、それが１／４波長板２を通して円偏光されて対物レンズ３に入射され、この対物レンズ３により光記録媒体４に集光される。その際、光記録媒体４のカバーガラス４１の厚みにより集光されるレーザ光に球面収差が発生する。特に光記録媒体４がブルーレイディスクの場合は、対物レンズ３のＮＡが大きく、また、レーザ光の波長が短いため、上記した球面収差が大きくなり、必ず補正しなければならない（例えば特許文献１）。
【０００４】
図６、図７は上記したレーザ光に発生した球面収差を説明する図である。球面収差が発生すると、図６に示すようにレーザ光の外側の光ＦＥ１と内側の光ＦＥ２の焦点位置が図７（Ｂ）に示すように異なってしまう。従って、このままでは光記録媒体の情報記録層に正常な形状のスポットが形成されず、記録再生動作に支障を来す場合がある。なお、図７（Ａ）は外側の光ＦＥ１と内側の光ＦＥ２の焦点が一致し、球面収差がゼロの場合を示している。
【０００５】
そこで、レーザ光を光記録媒体に照射してこの光記録媒体からの反射光を受光する光学系に球面収差を補正する光学素子を配置し、この光学素子で光記録媒体のカバーガラスなどにより発生する球面収差を補正する事が行われているが、それには、発生する球面収差の大きさを検出し、それに応じて球面収差補正光学素子による補正量を最適に調整する事が必要である。それにはレーザ光の外側の光ＦＥ１及び内側の光ＦＥ２をそれぞれ専用のフォトトランジスタなどの受光素子で受光し、それぞれの受光素子で得られたフォーカスエラー信号を演算することにより球面収差の大きさを検出している。
【特許文献１】特開平２００３−３２３７３５号公報  （第９頁、第１図）
【発明の開示】
【発明が解決しようとする課題】
【０００６】
しかしながら、上記のように球面収差の大きさを検出するためには外側の光と内側の光をホログラム素子等で別々に飛ばして図８に示したような内側光用の受光素子３００と２個の外側光用受光素子３０１、３０２で受光する。内側光用の受光素子３００と外側光用の受光素子３０１、３０２（図７参照）はそれぞれの光のフォーカスエラー信号を検出するために複数の受光領域に分割された形態を有している。但し、図中、黒色の部分が内側光と外側光の照射範囲である。しかも、ＲＦ信号を得るにはそれぞれの受光領域から得られた光電変換信号を加算するため、ＲＦ信号のＳ／Ｎが分割受光領域の数に比例して大きくなってしまい、特にブルーレイディスクに用いる短波長のレーザ光を受光するフォトトランジスタは感度が低くＳ／Ｎが悪いため、上記のように分割受光領域の数が多くなるとＲＦ信号のＳ／Ｎの悪化が無視できないものになってしまう。
【０００７】
本発明は前記事情に鑑み案出されたものであって、本発明の目的は、ブルーレイディスクから再生されるＲＦ信号のＳ／Ｎを悪化させることなく、球面収差の大きさを検出することができる光ピックアップ及びこの光ピックアップを搭載した光ディスク装置を提供することにある。
【課題を解決するための手段】
【０００８】
本発明は上記目的を達成するため、第１のディスク用のレーザ光源から出射されたレーザ光を第１のディスクに集光し、この第１のディスクからの反射光を受光して受光素子に導く第１のディスク用光学系と、第２又は第３のディスク用のレーザ光源から出射されたレーザ光を第２又は第３のディスクに集光し、この第２又は第３のディスクからの反射光を受光して受光素子に導く第２又は第３のディスク兼用光学系とを収納した光ピックアップであって、前記第１のディスク用光学系に配置されて球面収差を補正する球面収差補正光学素子と、前記第２又は第３のディスクからの反射光を前記第２又は第３のディスク兼用光学系を通して受光する受光素子と兼用で設けられ、前記球面収差を検出するための検出用受光素子と、前記第１のディスク用のレーザ光源から出射されたレーザ光の一部を分岐して前記第２又は第３のディスク兼用光学系を通して前記検出用受光素子に導く光分岐光学手段とを具備することを特徴とする。
【０００９】
また、本発明は、第１のディスク用のレーザ光源から出射されたレーザ光を第１のディスクに集光し、この第１のディスクからの反射光を受光して受光素子に導く第１のディスク用光学系と、第２のディスク用のレーザ光源から出射されたレーザ光を第２のディスクに集光し、この第２のディスクからの反射光を受光して受光素子に導く第２のディスク用光学系とを収納した光ピックアップであって、前記第１のディスク用光学系に配置されて球面収差を補正する球面収差補正光学素子と、前記第２のディスクからの反射光を受光する受光素子と兼用で設けられ、前記球面収差を検出するための検出用受光素子と、前記第１のディスク用のレーザ光源から出射されたレーザ光の一部を分岐して前記第２のディスク用光学系を通して前記検出用受光素子に導く光分岐光学手段とを具備することを特徴とする。
【００１０】
また、本発明は、第１のディスク用のレーザ光源から出射されたレーザ光を第１のディスクに集光し、この第１のディスクからの反射光を受光して受光素子に導く第１のディスク用光学系と、第３のディスク用のレーザ光源から出射されたレーザ光を第３のディスクに集光し、この第３のディスクからの反射光を受光して受光素子に導く第３のディスク用光学系とを収納した光ピックアップであって、前記第１のディスク用光学系に配置されて第１のディスクの主にカバーガラスに起因して発生する球面収差を補正する球面収差補正光学素子と、前記第３のディスクからの反射光を受光する受光素子と兼用で設けられ、前記球面収差を検出するための検出用受光素子と、前記第１のディスク用のレーザ光源から出射されたレーザ光の一部を分岐して前記第３のディスク用光学系を通して前記検出用受光素子に導く光分岐光学手段とを具備することを特徴とする。
【００１１】
また、本発明は、光ピックアップよりレーザ光を光記録媒体に集光すると共に、その光記録媒体からの反射光を前記光ピックアップにより受光してデータを記録再生する光ディスク装置であって、前記光ピックアップは、第１のディスク用のレーザ光源から出射されたレーザ光を第１のディスクに集光し、この第１のディスクからの反射光を受光して受光素子に導く第１のディスク用光学系と、第２又は第３のディスク用のレーザ光源から出射されたレーザ光を第２又は第３のディスクに集光し、この第２又は第３のディスクからの反射光を受光して受光素子に導く第２又は第３のディスク兼用光学系と、前記第１のディスク用光学系に配置されて球面収差を補正する球面収差補正光学素子と、前記第２又は第３のディスクからの反射光を受光する受光素子と兼用で設けられ、前記球面収差を検出するための検出用受光素子と、前記第１のディスク用のレーザ光源から出射されたレーザ光の一部を分岐して前記第２又は第３のディスク兼用光学系を通して前記検出用受光素子に導く光分岐光学手段とを具備することを特徴とする。
【００１２】
このように本発明では、第１のディスク（例えばＢＤ）を記録再生する際に発生する球面収差を検出するための受光素子を、ＣＤ／ＤＶＤを記録再生する際に用いる受光素子と兼用にすることによって、ＢＤを記録再生する際に用いる受光素子側で球面収差を検出しないようにして受光素子の数及び受光領域の総数が増加することを防止し、これによりこの受光素子より得られるＲＦ信号のＳ／Ｎ（受光領域の数に比例してＳ／Ｎが悪化する傾向にある）が悪化することを防止して良好なＳ／ＮのＲＦ信号を得ることができる。
【発明の効果】
【００１３】
本発明によれば、ＢＤを記録再生する際に発生する球面収差を検出するための受光素子を、ＣＤ／ＤＶＤを記録再生する際に用いる受光素子と兼用にして、ＢＤを記録再生する際に用いる受光素子側の受光領域の総数が増大するのを防止することにより、ＲＦ信号のＳ／Ｎを悪化させることなく、球面収差の大きさを検出することができる。
【発明を実施するための最良の形態】
【００１４】
ＢＤから再生されるＲＦ信号のＳ／Ｎを悪化させることなく、球面収差の大きさを検出させる目的を、ＢＤを記録再生する際に発生する球面収差を検出するための受光素子をＣＤ／ＤＶＤを記録再生する際に用いる受光素子と兼用にすることにより、ＢＤを記録再生する際に用いる受光素子側で球面収差検出を行なわない構成とし、それによってＢＤ用の受光素子の数及び受光領域の総数が増加することを防止することにより達成される。
【実施例１】
【００１５】
図１は、本発明の第１の実施の形態に係る光ピックアップの構成を示したブロック図である。本実施の形態の光ピックアップ８０のＢＤ用レーザダイオード１１から出射したレーザ光は、１／２波長板１２、ビームスプリッタ１３、グレーティング１６、ビームスプリッタ１７、ミラー１８、コリメータレンズ１９、３波調用ビームスプリッタ２０、パワー液晶２２、ＢＤ用対物レンズ２３を通してＢＤ（不図示）に集光される構成を有する。その際、ＢＤ用レーザダイオード１１から出射したレーザ光の一部は、ビームスプリッタ１３をそのまま透過し、集光レンズ１４によりフロントモニター用フォトダイオードＩＣ１５に集光される構成を有する。ＢＤからの反射光は、ＢＤ用対物レンズ２３、パワー液晶２２、３波調用ビームスプリッタ２０、コリメータレンズ１９、ミラー１８、ビームスプリッタ１７、ホログラム素子２５を通り、マルチレンズ２６によりフォトダイオードＩＣ２７に集光される。以上が光ピックアップ８０に搭載されるＢＤ用の光学系の構成である。
【００１６】
また、本実施の形態の光ピックアップ８０のＣＤ／ＤＶＤ用レーザダイオード２８から出射したレーザ光は、カップリングレンズ２９、ミラー３０、グレーティング３１、２波調用ビームスプリッタ３２、コリメータレンズ３３、３波調用ビームスプリッタ２０、パワー液晶２２、ＤＶＤ／ＣＤ用対物レンズ２４を通してＤＶＤ／ＣＤディスク（不図示）に集光される構成を有する。その際、ＣＤ／ＤＶＤ用レーザダイオード２８から出射したレーザ光の一部は、ビームスプリッタ２０により９０度光路を変更され、フロントモニター用フォトダイオードＩＣ２１に集光される構成を有する。ＣＤ／ＤＶＤ用ディスクからの反射光は、ＣＤ／ＤＶＤ用対物レンズ２４、パワー液晶２２、３波調用ビームスプリッタ２０、コリメータレンズ３３、２波長用ビームスプリッタミラー３２、シリンドリカルレンズ３４、光軸合成素子３５を通って、フォトダイオードＩＣ３６に集光される。以上が光ピックアップ８０に収納されるＣＤ／ＤＶＤディスク用の光学系であるが、ＣＤ／ＤＶＤ用及びＢＤ用ディスクの記録再生に対応するため、ＣＤ／ＤＶＤ用の２波調のレーザダイオード２８とＢＤ用のレーザダイオード１１を有し、３波調ビームスプリッタ２０により光路を切り換えてＣＤ、ＤＶＤ、ＢＤを一つの光ピックアップで記録再生できるようにしている。上記のような光学系は光ピックアップ８０の筐体３８内に収納され、この筐体３８は固定軸３９を摺動可能に取り付けられ、光ディスクの半径方向に移動可能になっている。
【００１７】
図２は上記したフォトダイオードＩＣ３６の構成を示した平面図である。このフォトダイオードＩＣ３６のフォトダイオード３５１、３５２、３５３はＣＤ／ＤＶＤ用で、フォトダイオード３５１、３５４、３５５がＢＤを記録再生する際にＢＤの主にカバーガラスに起因して発生する球面収差を検出するためのもので、特にフォトダイオード３５４、３５５が従来のものに追加された構成を有している。
【００１８】
次に本実施の形態の動作について説明する。ＢＤを記録又は再生する際には、ＢＤ用のレーザダイオード１１から波長４０７ｎｍのレーザ光が出射され、それが１／２波長板１２を通ってビームスプリッタ１３、グレーティング１６、ビームスプリッタ１７、ミラー１８に入射されて光路を変更され、さらにコリメータレンズ１９を通って３波調用ビームスプリッタ２０に入射され、ここで光路を９０度変更されてパワー液晶２２に入射される。パワー液晶２２は入射されるレーザ光の球面収差を補正し、この補正されたレーザ光がＢＤ用対物レンズ２３を通して図示されないＢＤに集光される。
【００１９】
その際に、３波調用ビームスプリッタ２０によりレーザ光の一部の光路が変更され、ＣＤ／ＤＶＤ用の光学系に入射され、コリメータレンズ３３を通ってビームスプリッタ３２に入射され、そこで光路を９０度変更されてシリンドリカルレンズ３４に入射され、光軸合成素子３５で外側の光を左右に飛ばしてフォトダイオードＩＣ３６に集光される。また、ビームスプリッター１３に入射されたレーザ光の一部がそのままこれを通過し、集光レンズ１４によりＢＤ用のフォトダイオードＩＣ１５に集光される。
【００２０】
ＢＤからの反射光は、ＢＤ用対物レンズ２３で受光された後、パワー液晶２２で球面収差を補正され、それが３波調用ビームスプリッタ２０で光路変更されて、コリメータレンズ１９、ミラー１８、ビームスプリッタ１７、ホログラム素子２５を通り、マルチレンズ２６によりフォトダイオードＩＣ２７に集光される。
【００２１】
ここで、フォトダイオードＩＣ３６のフォトダイオード３５１には内側の光が集光し、フォトダイオード３５４、３５５には外側の光が集光する。フォトダイオード３５１、３５２、３５３の分割部を図示のような符号を付けて区別し出力信号とし、内側の光のフォーカスエラー信号をＦＣＳ１，外側のフォーカスエラー信号をＦＣＳ２とすると、以下のように表される。
【００２２】
ＦＣＳ１＝（Ａ１＋Ｃ１）−（Ｂ１＋Ｄ１）        …（１）
ＦＣＳ２＝（Ａ２＋Ｃ２）−（Ｂ２＋Ｄ２）＋（Ａ３＋Ｃ３）−（Ｂ３＋Ｄ３）…（２）
【００２３】
図３は内側光のフォーカスエラー信号６０と外側光のフォーカスエラー信号６１又は６２を図示したものである。球面収差がない場合にはフォーカスエラー信号６０と外側光のフォーカスエラー信号６１は図示のような波形となるが、球面収差があると外側光のフォーカスエラー信号６２が０点からずれて図示したような波形となり、そのずれ量が球面収差量となる。但し、０点からのずれ方は＋−のいずれもある。従って、球面収差量ＳＡ＝ＦＣＳ１−ＦＣＳ２…（３）として表され、０の場合は球面収差が無い状態である。
【００２４】
球面収差補正回路３７はフォトダイオードＩＣ３６から上記した信号Ａ１〜Ｄ１、Ａ２〜Ｄ２、Ａ３〜Ｄ３、Ａ４〜Ｄ４の信号を入力して上記した（１）〜（３）式の演算を行って球面収差量ＳＡを求め、このＳＡが０になるようにパワー液晶２２を制御する。これにより、セットしたＢＤのカバーガラスの厚みがメーカーなどによって異なっていても球面収差は常に０になるように自動的に補正される。
【００２５】
本実施の形態によれば、ＢＤを記録再生する場合に発生する球面収差を検出する受光素子としてＤＶＤ／ＣＤ用のフォトダイオードＩＣ３６を用いることにより、ＢＤ用のフォトダイオードＩＣ２７は球面収差を検出するための複数分割されたフォトダイオードを複数個必要としなくなるため、ＲＦ信号を検出する際に加算するフォトダイオード信号を著しく削減することができ、この分、ＲＦ信号のＳ／Ｎが悪化することを防止することができる。従って、ＲＦ信号から得られる再生信号のＳ／Ｎも悪化することがなくなり、記録再生時の画質或いは音質を良好に保持することができる。
【００２６】
なお、球面収差補正回路３７はピックアップの内部にあっても外部にあってもよいし、またその一部が外部にあってもよい。
【実施例２】
【００２７】
図４は、本発明の第２の実施の形態に係る光ディスク装置の要部の構成を示したブロック図である。光ディスク装置は、ＤＶＤ±Ｒ／ＲＷやＣＤ−Ｒ／ＲＷ、またはＢＤのようなディスク型の光記録媒体２０２に対して光ピックアップ２０４によりアクセスし、データを記録再生するものであり、光記録媒体２０２を回転駆動する駆動手段としてのスピンドルモータ２０３と、光記録媒体２０２に対してデータの読み書きを行う光ピックアップ２０４と、この光ピックアップ２０４を光記録媒体２０２の半径方向に移動する駆動手段としての送りモータ２０５と、装置全体の制御などを行うシステムコントローラ２０７と、プリアンプ２２０から出力信号に基づく復調及び誤り訂正処理等の所定の処理を行う信号処理部２０８と、スピンドルモータ２０３及び送りモータ２０５を制御するサーボ制御部２０９と、光ピックアップ２０４から出力される各種の信号に基づいてフォーカスエラー信号、トラッキングエラー信号、ＲＦ信号などを生成するプリアンプ２２０と、信号処理部２０８と外部コンピュータ２３０を接続するインターフェース２１１と、光ピックアップ２０４内のレーザ光源（図１のレーザダイオード１１または２８に対応）を駆動するレーザ制御部２２１と、光記録媒体２０２に記録された信号を再生信号として受け取ると共に、データを信号処理部２０８により変調してレーザ制御部２２１に出力して光ピックアップ２０４内のレーザ光源を駆動する外部コンピュータ２３０と、信号処理部２０８からの信号をＤ／Ａ変換し或いは、オーディオ・ビジュアル処理部２１３からの信号をＡ／Ｄ変換するＤ／Ａ、Ａ／Ｄコンバータ２１２と、記録又は再生オーディオ・ビデオ信号を処理するオーディオ・ビジュアル処理部２１３を有して構成される。ここで、光ピックアップ２０４は図１に示した第１の実施の形態と同様の構成を有している。
【００２８】
上記光ピックアップ２０４には、例えば光記録媒体２０２上の所定の記録トラックまで移動させるための送りモータ２０５が接続されている。スピンドルモータ２０３の制御、送りモータ２０５の制御、光ピックアップ２０４の対物レンズを保持する二軸アクチュエータのフォーカシング方向及びトラッキング方向の制御は、それぞれサーボ制御部２０９がプリアンプ２２０から入力されるフォーカスエラー信号、トラッキングエラー信号に基づいて行われる。また、レーザ制御部２２１は、光ピックアップ２０４内のレーザ光源１０１を制御するものであり、レーザ光源の出力パワーを記録モード時と再生モード時で可変制御する。
【００２９】
本実施の形態によれば、光ピックアップ２０４におけるＢＤ記録再生時の球面収差検出用の受光素子としてＣＤ／ＤＶＤ兼用光学系の受光素子を当てることにより、ＢＤからの反射光を受光するフォトダイオードＩＣ２７に球面収差検出用の受光領域を複数に分割したフォトダイオードを付加する必要がなくなるため、ＲＦ信号を検出する際に加算するフォトダイオードの分割面からの信号を著しく削減することができ、この分、ＲＦ信号のＳ／Ｎが悪化することを防止することができる。従って、ＲＦ信号から得られる再生信号のＳ／Ｎも悪化することがなくなり、記録再生時の画質或いは音質を良好に保持することができる。
【００３０】
尚、本発明は上記実施の形態に限定されることなく、その要旨を逸脱しない範囲において、具体的な構成、機能、作用、効果において、他の種々の形態によっても実施することができる。例えば、上記実施の形態ではＢＤを記録再生する際に発生する球面収差をＣＤ／ＤＶＤディスク記録再生兼用のフォトダイオードＩＣ側で検出する構成としたが、ＣＤディスク記録再生用のフォトダイオードＩＣ又はＤＶＤディスク記録再生用のフォトダイオードＩＣで検出する構成としても、或いはＭＤなどの他のディスク再生光学系にあるフォトダイオードＩＣで検出する構成として同様の効果がある。
【図面の簡単な説明】
【００３１】
【図１】本発明の第１の実施の形態に係る光ピックアップの構成を示したブロック図である。
【図２】図１に示したフォトダイオードＩＣ３６の構成を示した平面図である。
【図３】ＢＤの記録再生時に生じる球面収差量を説明する波形図である。
【図４】本発明の第２の実施の形態に係る光ディスク装置の要部の構成を示したブロック図である。
【図５】従来の光ピックアップに収納される光学系の一部を示した概略図である。
【図６】レーザ光の外側の光と内側の光を示した図である。
【図７】レーザ光に発生する球面収差を説明する図である。
【図８】従来のレーザ光に発生する球面収差を検出するためのフォトダイオードの構成を示した図である。
【符号の説明】
【００３２】
１１、２８……レーザダイオード、１２……１／２波長板、１３、１７、２０、３２……ビームスプリッタ、１４……集光レンズ、１５、２１、２７、３６……フォトダイオードＩＣ、１６、３１……グレーティング、１８、３０……ミラー、１９、３３……コリメータレンズ、２２……パワー液晶、２３、２４……対物レンズ、２５……ホログラム素子、２６……マルチレンズ、２９……カップリングレンズ、３４……シリンドリカルレンズ、３５……光軸合成素子、３７……球面収差補正回路、８０……光ピックアップ、３５１〜３５５……フォトダイオード。
【図１】
2005339636.tif 000003
【図２】
2005339636.tif 000004
【図３】
2005339636.tif 000005
【図４】
2005339636.tif 000006
【図５】
2005339636.tif 000007
【図６】
2005339636.tif 000008
【図７】
2005339636.tif 000009
【図８】
2005339636.tif 000010